(57)【要約】リングバック・トーンを与える前に広告または他のタイプの情報メッセージを発呼者（１１２）に提供する通信ネットワーク（１００）および関連する方法が開示される。本明細書で説明される通信ネットワーク（１００）は、発呼者（１１２）から被呼者（１２２）への呼を受信し、この呼の呼処理を一時的に中断する。次いで、通信ネットワーク（１００）は、呼に対する広告を選択し、発呼者（１１２）へのこの広告の配信を開始する。広告が発呼者（１１２）に配信された後、通信ネットワーク（１００）は呼の呼処理を再開する。呼処理を再開する際、通信ネットワーク（１００）は、発呼者（１１２）にリングバック・トーンを与え、被呼者（１２２）に呼を接続しようと試みる。
2010510752.tif 000002
【特許請求の範囲】
【請求項１】
リングバック・トーンを与える前に発呼者（１１２）に広告を提供するための通信ネットワーク（１００）であって、前記通信ネットワーク（１００）は、発呼者（１１２）から被呼者（１２２）への呼を受信するように構成されたネットワーク・ノード（１０２、１０４）を備え、
前記ネットワーク・ノード（１０２、１０４）は、前記呼の呼処理を中断するように、かつメッセージを広告システム（１０６）に送信し、前記呼に対する広告を要求するようにさらに構成され、
前記広告システム（１０６）は、前記メッセージの受信に応答して、前記呼に対する広告を選択するように構成され、
前記広告システム（１０６）は、前記発呼者（１１２）への前記選択された広告の配信を開始するようにさらに構成され、
前記選択された広告が前記発呼者（１１２）に配信された後、前記ネットワーク・ノード（１０２、１０４）は、前記発呼者（１１２）が前記呼のリングバック・トーンを受信できるように呼処理を再開するようにさらに構成される
ことを特徴とする通信ネットワーク（１００）。
【請求項２】
前記ネットワーク・ノード（１０２、１０４）が、前記呼処理の中断に応答して割込みタイマを設定するようにさらに構成され、
前記選択された広告が前記割込みタイマよりも長い時間再生される場合、前記広告システム（１０６）が、前記割込みタイマをリセットするためのリセット・メッセージを前記ネットワーク・ノード（１０２、１０４）に送信するようにさらに構成される、
請求項１に記載の通信ネットワーク（１００）。
【請求項３】
前記広告システム（１０６）が、前記発呼者（１１２）から入力を受信し、前記入力に応答して前記選択された広告をスキップするようにさらに構成される、
請求項１に記載の通信ネットワーク（１００）。
【請求項４】
前記広告システム（１０６）が、前記発呼者（１１２）から入力を受信し、前記入力に応答して前記選択された広告の追加情報を前記発呼者（１１２）に提供するようにさらに構成される、
請求項１に記載の通信ネットワーク（１００）。
【請求項５】
前記広告システム（１０６）が、前記発呼者（１１２）への前記選択された広告の配信に応答して前記発呼者（１１２）のアカウントに報奨ポイントを付与するようにさらに構成される、
請求項１に記載の通信ネットワーク（１００）。
【請求項６】
前記広告システム（１０６）が、前記発呼者（１１２）が前記選択された広告をスキップすることに応答して前記発呼者（１１２）の前記アカウントから報奨ポイントを引き落とすようにさらに構成される、
請求項５に記載の通信ネットワーク（１００）。
【請求項７】
発呼者から被呼者への呼を受信することに応答して前記発呼者に広告を提供するための通信ネットワークを動作させる方法であって、
前記呼の呼処理を中断するステップと、
前記呼に対する広告を選択するステップと、
前記発呼者への前記選択された広告の配信を開始するステップと、
前記選択された広告が前記発呼者に配信された後、前記呼のリングバック・トーンを与えるために呼処理を再開するステップと
を特徴とする方法。
【請求項８】
前記発呼者から入力を受信するステップと、
前記入力に応答して前記選択された広告をスキップするステップと
をさらに含む請求項７に記載の方法。
【請求項９】
前記発呼者から入力を受信するステップと、
前記入力に応答して前記発呼者に前記選択された広告の追加情報を提供するステップと
をさらに含む請求項７に記載の方法。
【請求項１０】
前記発呼者への前記選択された広告の配信に応答して前記発呼者のアカウントに報奨ポイントを付与するステップと、
前記発呼者が前記選択された広告をスキップすることに応答して前記発呼者の前記アカウントから報奨ポイントを引き落とすステップと
をさらに含む請求項７に記載の方法。
【発明の詳細な説明】
【技術分野】
【０００１】
本発明は、通信ネットワークの分野に関し、詳細には、呼のリングバックを発呼者に与える前に発呼者に広告を提供することに関する。
【背景技術】
【０００２】
発呼者が被呼者に発呼する際、被呼者が呼に応答するのを待っているときに発呼者に聞こえる音は、リングバック・トーンと呼ばれる。それを介して発呼される通信ネットワークは、一般に呼出し音であるリングバック・トーンを発呼者に与える。サービス・プロバイダの現在の動向は、カスタマイズされたリングバック・トーンをその加入者に与えることである。カスタマイズされたリングバック・トーンには、通信ネットワークがリングバック・トーンとして従来の呼出し音の代わりにまたはそれに加えて再生する、音楽、歌、サウンド・クリップ、音声メッセージ、あらかじめ録音された挨拶などが含まれ得る。カスタマイズされたリングバック・トーンは、電話リストまたは除外リストを使用するなどして、発呼者の特定のディレクトリ番号と関連付けることができる。加入者は、時間、曜日、発呼者などに基づいて、リングバック・トーンについて、いつ、誰に、または何を再生するかの条件を設定することもできる。カスタマイズされたリングバック・トーンはサービス・プロバイダの高い収益を生み出している。
【０００３】
マルチメディア電話（たとえば、無線ハンドセット、ブロードバンド有線電話機、ＳＩＰ電話など）の出現は発呼者へのマルチメディア・リングバック・トーンとしての文字、アニメーション画像、音声／ビデオ・クリップなどを可能にする。加入者は、選択された画像またはビデオ・クリップをマルチメディアのリングバック・トーンとして定義し、それらを通信ネットワーク内に格納することができる。発呼者が加入者に電話をかけた場合、通信ネットワークは、加入者によって定義されたマルチメディア・リングバック・トーン・プロファイルに基づいて、発呼者に対して選択された画像またはビデオ・クリップを再生する。
【発明の概要】
【発明が解決しようとする課題】
【０００４】
サービス・プロバイダの収益発生源は、そのサービス・プロバイダの加入者を対象とした販売広告である。したがって、サービス・プロバイダが直面している１つの課題は、どのように広告を加入者に提供するかである。１つの解決策は、呼の従来のリングバックの代わりに、広告であるマルチメディア・リングバック・トーンを使用することである。発呼者が会社または個人に電話をかけるときに従来の呼出し音を聞く代わりに、通信ネットワークは発呼者に対してマルチメディア広告を再生することができる。マルチメディア・リングバック・トーンを広告として使用することは有用であるが、いくつかの制限があり得る。たとえば、広告が完全に再生される前に被呼者が呼に応答した場合、広告が発呼者に対して完全に再生されない場合がある。したがって、広告を別の形で発呼者に提供することが望ましい場合がある。
【課題を解決するための手段】
【０００５】
本発明は、呼のリングバック・トーンを与える前に発呼者に広告を提供することによって、従来の通信ネットワークおよび方法に勝る利点を提供する。本発明の一実施形態では、通信ネットワークは、発呼者から被呼者への呼を受信し、この呼の呼処理を一時的に中断する。次いで、通信ネットワークは、呼に対する広告を選択し、発呼者へのこの広告の配信を開始する。広告が発呼者に配信された後、通信ネットワークは呼の呼処理を再開する。呼処理を再開する際、通信ネットワークは、発呼者にリングバック・トーンを与え、被呼者に呼を接続しようと試みる。
【０００６】
呼処理が一時的に中断されるので、通信ネットワークは、広告を完全に発呼者に提供することができる。広告が配信され呼処理が再開された後は、呼がセット・アップされているときに発呼者にリングバック・トーンが送られる。呼処理が一時的に中断され被呼者まで達していないので、広告は、被呼者が呼に応答することによって中断されない。呼処理を一時的に中断することにより、好都合にも、サービス・プロバイダは、完全な広告を確実に発呼者に提供することができる。
【０００７】
本発明の他の一実施形態は、広告システムおよびネットワーク・ノードを備える通信ネットワークである。ネットワーク・ノードは、発呼者から被呼者への呼を受信し、この呼の呼処理を中断するように構成される。ネットワーク・ノードは、メッセージを広告システムに送信し、呼に対する広告を要求するようにさらに構成される。広告システムは、呼に対する広告を選択し、発呼者へのこの選択された広告の配信を開始するように構成される。選択された広告が発呼者に配信された後、ネットワーク・ノードは、発呼者が呼のリングバック・トーンを受信できるように呼処理を再開するようにさらに構成される。
【０００８】
本発明は、後述する他の例示的な実施形態を含み得る。
【０００９】
すべての図面において、同じ参照番号は、同じ要素または同じタイプの要素を示す。
【図面の簡単な説明】
【００１０】
【図１】本発明の例示的な一実施形態における通信ネットワークを示す図である。
【図２】本発明の例示的な一実施形態における発呼者に広告を提供するための通信ネットワークを動作させる方法を示す流れ図である。
【図３】本発明の例示的な一実施形態における他の通信ネットワークを示す図である。
【図４】本発明の例示的な一実施形態における発呼者を登録するための、図３の通信ネットワークの例示的な動作を示すメッセージ図である。
【図５】本発明の例示的な一実施形態における発呼者に広告を提供するための、図３の通信ネットワークの例示的な動作を示すメッセージ図である。
【図６】本発明の例示的な一実施形態における発呼者に広告を提供するための、図３の通信ネットワークの他の例示的な動作を示すメッセージ図である。
【図７】本発明の例示的な一実施形態における広告をスキップするための、図３の通信ネットワークの例示的な動作を示すメッセージ図である。
【図８】本発明の例示的な一実施形態における発呼者に広告を提供するための、図３の通信ネットワークの他の例示的な動作を示すメッセージ図である。
【発明を実施するための形態】
【００１１】
図１〜８および以下の説明は、本発明を実施および使用する方法を当業者に教示するために、本発明の特定の例示的な実施形態を示す。発明の原理を教示するために、本発明の従来のいくつかの態様は単純化または省略されている。本発明の範囲に包含されるこれらの実施形態からの変更形態を、当業者なら理解するであろう。後述する特徴を様々なやり方で組み合わせて本発明の多様な変更形態を形成できることを当業者なら理解するであろう。それゆえに、本発明は、後述する特定の実施形態に限定されず、特許請求の範囲およびそれらの均等物によってのみ限定されるものである。
【００１２】
図１は、本発明の例示的な一実施形態における通信ネットワーク１００を示す図である。通信ネットワーク１００は、ＰＳＴＮなどの有線ネットワークを、または符号分割多元接続（ＣＤＭＡ）ネットワーク、時分割多元接続（ＴＤＭＡ）ネットワーク、移動体通信グローバル・システム（ＧＳＭ）ネットワークもしくはユニバーサル移動体通信システム（ＵＭＴＳ）ネットワークなどの無線ネットワークを含み得る。通信ネットワーク１００は、回線ベースのコア・ネットワークを、またはＩＰマルチメディア・サブシステム（ＩＭＳ）ネットワークなどのパケット・ベースのコア・ネットワークを含み得る。通信ネットワーク１００は、（通信デバイス１１０を経由する）発呼者１１２と（通信デバイス１２０を経由する）被呼者１２２との間の通信を行うように構成される。デバイス１１０および１２０には、有線電話、無線（モバイル）電話、ＰＤＡ、ＶｏＩＰ電話、ＳＩＰベースの電話など、いかなる通信デバイスも含まれる。
【００１３】
通信ネットワーク１００は、ネットワーク・ノード１０２、ネットワーク・ノード１０４および広告システム１０６を含む。ネットワーク・ノード１０２には、呼に関してデバイス１１０にサービスするいかなる交換機、サーバまたは他のデバイスも含まれる。たとえば、ネットワーク・ノード１０２は、有線ネットワーク内で交換機を、無線ネットワーク内でモバイル交換局（ＭＳＣ：Ｍｏｂｉｌｅ  Ｓｗｉｔｃｈｉｎｇ  Ｃｅｎｔｅｒ）を、またはＩＭＳネットワーク内で通話セッション制御機能（ＣＳＣＦ：Ｃａｌｌ  Ｓｅｓｓｉｏｎ  Ｃｏｎｔｒｏｌ  Ｆｕｎｃｔｉｏｎ）を含み得る。同様に、ネットワーク・ノード１０４には、呼に関してデバイス１２０にサービスするいかなる交換機、サーバまたは他のデバイスも含まれる。
【００１４】
広告システム１０６には、発呼者１１２に対して広告を再生、配信または他の形で提供するように構成されたいかなるシステム、サーバまたはデバイスも含まれる。広告には、商品および／もしくはサービスへの注目を引くように構成されたいかなる媒体またはコンテンツも含まれる。この商品またはサービスは、通信ネットワーク１００（またはこの通信ネットワーク１００を動作させているサービス・プロバイダ）に関連してよく、あるいは広告を提供するサービス・プロバイダと契約している第三者に関連してもよい。広告は、文字、音声、ビデオ、マルチメディアなど多くの異なる媒体タイプに従って発呼者１１２に配信することができる。広告システム１０６はまた、必ずしも広告ではない他のタイプの情報メッセージを提供することもできる。たとえばこの情報メッセージは、記念日のお知らせ、パーティーの通知、気象警報または交通警報などの緊急メッセージなどであってよい。
【００１５】
広告システム１０６は、たとえばインテリジェント周辺装置（ＩＰ）またはアプリケーション・サーバ（ＡＳ）など、通信ネットワーク１００内に単一の独立サーバまたはシステムを備えてよく、あるいは通信ネットワーク１００内の複数のサーバまたはシステム間で分散してもよい。広告システム１０６はまた、ネットワーク・ノード１０２および／またはネットワーク・ノード１０４内に組み込んでもよい。広告システム１０６は、発呼者１１２および他の発呼者に配信することになる広告に関する情報を格納する。この広告に関する情報は、音声ファイル、ビデオ・ファイルなど、広告の実際のコンテンツを含み得る。この広告に関する情報は、さらにまたは代わりとして、広告のタイトル、広告の所有者、または広告の場所（たとえばリンク、ネットワーク・アドレス、その他）など、広告の識別情報を含み得る。広告システム１０６は、必ずしも実際の広告のそれぞれを格納し得るわけでないが、通信ネットワーク１００で使用される広告に関する情報は含まなければならない。
【００１６】
通信ネットワーク１００は、１つのサービス・プロバイダまたは複数のサービス・プロバイダによって動作される。本実施形態のサービス・プロバイダは、呼に対してリングバック・トーンを与える前の呼出し中に、１つまたは複数の広告を提供する広告サービスを提供している。発呼者１１２および／または被呼者１２２は、本実施形態の広告サービスに加入していることがあり得る。
【００１７】
図２は、本発明の例示的な一実施形態における発呼者１１２に広告を提供するための通信ネットワーク１００を動作させる方法２００を示す流れ図である。方法２００の各ステップは、図１の通信ネットワーク１００を参照して説明される。図２の流れ図の各ステップは、包括的でなく、図示されない他のステップを含み得る。
【００１８】
方法２００のステップ２０２において、ネットワーク・ノード１０２は、デバイス１１０を介して発呼者１１２から被呼者１２２への呼を受信する。呼を受信する際、ネットワーク・ノード１０２は、呼出し先のダイヤル番号を受信することができる。ネットワーク・ノード１０２は、呼を始める方法を決定するための呼処理を開始する。呼処理の一部として、本明細書で説明される広告サービスを提供するように定義される１つまたは複数のトリガが存在してよい。トリガに関する１つの条件または複数の条件が呼処理中に満たされる場合、ステップ２０４において、ネットワーク・ノード１０２は呼の呼処理を一時的に中断する。ネットワーク・ノード１０２はまた、メッセージを広告システム１０６に送信し、呼に対する広告を要求する。
【００１９】
広告システム１０６は、ネットワーク・ノード１０２からこのメッセージを受信し、ステップ２０６において、呼に対する広告を選択する。広告システム１０６は、発呼者１１２に関する情報、被呼者１２２に関する情報、または他の情報に基づいて広告を選択することができる。たとえば、広告システム１０６は、発呼者１１２のユーザ・プロファイル（たとえば年齢、趣味など）に基づいて、発呼者１１２の位置に基づいて、または発呼者１１２に関する他の情報に基づいて広告を選択することができる。広告システム１０６は、被呼者１２２の識別情報に基づいて、被呼者１２２のユーザ・プロファイルに基づいて、または被呼者１２２に関する他の情報に基づいて広告を選択することができる。広告システム１０６は、呼に対して再生する広告を選択しないことも可能であり、このように広告を選択しないことは、広告システム１０６が呼に対する広告をスキップすることを意味する。
【００２０】
次いでステップ２０８において、広告システム１０６は、発呼者１１２への選択された広告の配信を開始する。広告には、文字、音声、ビデオ、マルチメディアなど、いかなるタイプの媒体コンテンツも含まれ得る。広告システム１０６は、様々な方法で広告の配信を開始することができる。たとえば、広告システム１０６は、選択された広告のコンテンツを格納することができ、ネットワーク・ノード１０２を介して発呼者１１２にこの広告を配信することができる。あるいは、広告システム１０６は、選択された広告を格納する他のコンテンツ・サーバを識別することができ、このコンテンツ・サーバのネットワーク識別子（たとえばＵＲＬまたはＴＬＤＮ）をネットワーク・ノード１０２に提供することができる。次いでネットワーク・ノード１０２は、このコンテンツ・サーバと交信することができ、このコンテンツ・サーバは発呼者１１２に広告を配信する。あるいは、広告システム１０６は、広告を格納しているコンテンツ・サーバを示すネットワーク識別子をデバイス１１０に送信することができる。次いでデバイス１１０は、このネットワーク識別子の受信に応答して、自動的にコンテンツ・サーバにアクセスして広告をダウンロードすることができる。
【００２１】
広告が発呼者１１２に配信された後、ネットワーク・ノード１０２は呼の呼処理を再開する。その後、呼を被呼者１２２に接続するように試みる通常の呼出しフローを行うことができる。図１において、ネットワーク・ノード１０２は、呼をネットワーク・ノード１０４にルーティングする。次いで、ネットワーク・ノード１０４は呼をデバイス１２０に接続しようと試みる。ネットワーク・ノード１０４はまた、ステップ２１２において、発呼者１１２のデバイス１１０にリングバック・トーン（場合によってはプログレス・トーンと呼ばれる）を与える。このリングバック・トーンは、従来の呼出し音、マルチメディア・リングバック・トーン、他の広告、または他のどんなタイプのリングバックであってもよい。ネットワーク・ノード１０４は、デバイス１１０にリングバック・トーンを与えるためのリングバック・トーン・サーバ（図１に図示せず）と交信することができる。リングバック・トーンは、被呼者１２２の（オンフックまたはビジーの）状態に応じて、オンフック・リングバック・トーンまたはビジー・リングバック・トーンを含み得る。
【００２２】
発呼者１１２が広告を聞くまたは見る場合、広告システム１０６は、発呼者１１２が広告を受信したことに対して獲得される報奨ポイントを付与することができる。広告システム１０６は、発呼者１１２が獲得する報奨ポイントを追跡記録するのに用いる発呼者１１２のアカウントを保持してよい。この報奨ポイントは、発呼者１１２によって、割引、ギフト購入などと引き換えられてよい。
【００２３】
代替実施形態では、ネットワーク・ノード１０４は、ネットワーク・ノード１０２が行う機能の一部または全部を行うことができる。たとえば、ネットワーク・ノード１０４は、１つまたは複数のトリガを監視することができ、あるトリガに遭遇した場合、呼処理を中断し広告システム１０６と交信する。発呼者１１２が広告サービスの加入者である場合、発呼者１１２のデバイス１１０にサービスしているネットワーク・ノード１０２は、大抵の場合、方法２００に関して説明した動作を行う。被呼者１２２が広告サービスの加入者である場合、被呼者１２２のデバイス１２０にサービスしているネットワーク・ノード１０４は、大抵の場合ネットワーク・ノード１０２の代わりに、方法２００に関して説明した動作を行う。サービス・プロバイダは、所望の異なる方法で通信ネットワーク１００を構成することができる。
【００２４】
先に説明した方法２００は、従来の広告サービスに勝る利点を提供する。呼処理が一時的に中断されるので、広告システム１０６は、広告を完全に発呼者１１２に提供することができる。広告が配信され呼処理が再開された後は、呼がセット・アップされているときにリングバック・トーンが発呼者１１２に送られる。呼処理が一時的に中断され被呼者１２２まで達していないので、広告は、被呼者１２２が呼に応答することによって中断されない。呼処理を一時的に中断することにより、好都合にも、サービス・プロバイダは、完全な広告を確実に発呼者１１２に提供することができる。
【００２５】
前節で述べたように、広告システム１０６は、呼に対して再生する広告を、異なる判定基準に基づいて選択することができる。広告を選択するのに使用される１つの例示的な判定基準は、発呼者１１２のユーザ・プロファイルであり得る。ユーザ・プロファイルには、広告を選択するのに使用される発呼者１１２のいかなるデータまたは情報も含まれる。ユーザ・プロファイルは、発呼者１１２の年齢、発呼者１１２の性別、発呼者１１２が加入しているサービス、デバイス１１０の性能、デバイス１１０が使用できる帯域幅、サービス品質レベル、発呼者１１２の特定の興味（たとえばスポーツ・ファン、コメディ・ファン、音楽ファンなど）、または他の任意の所望の情報を含み得る。広告システム１０６は、発呼者１１２に対して再生する広告を選択するのにユーザ・プロファイルを処理してよい。
【００２６】
広告を選択するのに使用される他の例示的な判定基準は、発呼者１１２による選択であり得る。この判定基準についての１つの仮定条件は、発呼者１１２が、広告サービスに加入していることである。発呼者１１２は、広告サービスを契約するときに、再生する広告に関する１つもしくは複数のタイプまたはカテゴリを選択することができる。たとえば、１つの広告カテゴリは「レストラン」であってよく、他の広告カテゴリは「映画」であり得る。このように、発呼者１１２は、どのようなカテゴリの広告を再生するかを定義することができる。また発呼者１１２は、ウェブ・ページを介して、デバイス１１０を介して（たとえばドロップ・ダウン・メニューを介して）等により、この発呼者１１２の広告カテゴリの選択を変更することもできる。また発呼者１１２は、ｉＰｏｄ、腕時計、その他の広告のような、より詳細なカテゴリの広告を選択することもできる。
【００２７】
広告を選択するのに使用される他の例示的な判定基準は、発呼者１１２の現在の状態であり得る。発呼者１１２の状態のいくつかの例は、「自宅」、「オフィス」、「運転中」、「市外」などである。発呼者１１２は、発呼者１１２の各状態に対して、どのようなカテゴリの広告を再生するのかを定義することができる。発呼者１１２の状態が変化する場合、広告システム１０６が選択する広告を変更してもよい。
【００２８】
広告システム１０６はまた、発呼者１１２、通信ネットワーク１００を動作させているサービス・プロバイダ、または他のエンティティが、広告の特性を定義することを可能にしてもよい。広告の特性とは、広告がどのように発呼者に提供されるかを制御するのに用いられる規則または方針である。たとえば、広告の１つの特性は、一定の時間フレーム中に可能とされる広告の最大数であり得る。広告の他の特性は、特定のベンダーから可能とされる広告の最大数であり得る。広告の他の特性は、同じ広告が発呼者に提示される回数であり得る。広告システム１０６は、個々の発呼者に対して再生された広告の履歴を保持し、広告の特性および履歴を処理して、再生すべき広告を選択するのをさらに手助けすることが可能である。
【００２９】
広告を選択するのに使用される他の例示的な判定基準は、発呼者１１２の位置であり得る。その場合、広告システム１０６は、発呼者１１２に位置ベースの広告を提供することができる。たとえば、発呼者１１２がショッピング・モール内にいる場合、広告システム１０６は、発呼者１１２の近くにある商店の特売広告を再生することができる。位置ベースの広告を提供するために、広告システム１０６は、発呼者１１２の位置（または推定位置）を取得する。一例において、デバイス１１０がＧＰＳ対応である場合、広告システム１０６は、発呼者１１２のデバイス１１０から経緯度を受信することができる。他の例では、発呼者１１２がモバイル・ユーザである場合、広告システム１０６は、デバイス１１０にサービスしているＭＳＣからＭＳＣＩＤを受信することができる。次いで、広告システム１０６は、発呼者１１２の位置を推定するために、このＭＳＣＩＤをなんらかの位置にマッピングするデータベースにアクセスすることができる。他の例では、発呼者１１２が電話回線（固定位置）ユーザである場合、広告システム１０６は、発呼者１１２のディレクトリ番号を受信することができる。次いで、広告システム１０６は、発呼者１１２の位置を推定するために、このディレクトリ番号のＮＰＡ−ＮＸＸをなんらかの位置にマッピングするデータベースにアクセスすることができる。
【００３０】
発呼者１１２は、広告が、この発呼者１１２の自宅位置または現在位置（たとえば、各所を動き回っている状況）に関連すべきであるかどうかを選択するオプションを有し得る。この概念の例示的な一実装形態は、以下の通りである。発呼者１１２のユーザ・プロファイルが、広告の各カテゴリに関連付けられた設定可能な「自宅位置または現在位置」フラグを含む。このフラグは、カテゴリごとの発呼者１１２の自宅位置または現在位置への対応に基づいて、発呼者１１２に広告を提供すべきかどうかを広告システム１０６に示す。たとえば、発呼者１１２は、広告カテゴリ「自動車」に対して「自宅位置」を選ぶと仮定する。さらに発呼者１１２は、広告カテゴリ「食品」に対して「現在位置」を選ぶと仮定する。発呼者１１２に提供すべき広告を選択するとき、広告システム１０６は、いずれの位置を使用すべきかを決定するためにこの「自宅位置または現在位置」フラグを照合する。たとえば、選択された広告カテゴリが「自動車」である場合、広告システム１０６は、発呼者１１２の自宅位置に関連する自動車広告を選択する。選択された広告カテゴリが「食品」である場合、広告システム１０６は、発呼者１１２が在宅であると示されているかまたは各所を動き回っているかとは関わりなく、発呼者１１２の現在位置に関連する食品広告を選択する。
【００３１】
上記実施形態のいずれかにおいて広告が発呼者１１２に対して再生されている間、発呼者１１２は、通信ネットワーク１００と対話して、たとえば機能コード、音声コマンドなどを使用することによって１つまたは複数の機能を起動することができる。一例において、発呼者１１２は、特定の機能コード（たとえば＊９６）の入力または「スキップ」の語の発話などにより、現在の広告をスキップせよと要求する入力を行うことができる。広告システム１０６は、この入力の受信に応答して、当該の広告をスキップするまたは当該の広告の再生を中止し、ネットワーク・ノード１０２に呼処理を再開するように指示する。他の例では、発呼者１１２は、特定の機能コード（たとえば＊９７）の入力または「詳細」の語の発話などにより、再生されている広告に関する追加情報を要求する入力を行うことができる。広告システム１０６は、この入力の受信に応答して、発呼者１１２によって要求された追加情報を含む文字／マルチメディア・メッセージ、電子メール・メッセージまたは他の種類のメッセージを発呼者１１２に送信することができる。
【００３２】
前節で述べたように発呼者１１２が呼をスキップする場合、広告システム１０６は、すでに発呼者１１２に付与されているいかなる報酬ポイントも調整することができる。たとえば、発呼者１１２へと広告の配信を開始するとき、広告システム１０６が、発呼者１１２のアカウントに報奨ポイントを付与することができる。その後に発呼者１１２が広告をスキップする入力を行う場合、広告システム１０６は、発呼者１１２のアカウントから以前付与された報酬ポイントを引き落とすことができる。
【００３３】
図３は、本発明の例示的な一実施形態における他の通信ネットワーク３００を示す。この通信ネットワーク３００は、無線インテリジェント・ネットワーク（ＷＩＮ：Ｗｉｒｅｌｅｓｓ  Ｉｎｔｅｌｌｉｇｅｎｔ  Ｎｅｔｗｏｒｋ）機能を含む本実施形態の無線ネットワークを備える。通信ネットワーク３００は、（モバイル・デバイス３１０を経由する）発呼者３１２と（モバイル・デバイス３２０を経由する）被呼者３２２との間の通信を行うように構成される。通信ネットワーク３００は、発呼者３１２のモバイル・デバイス３１０にサービスするモバイル交換局（ＭＳＣ）３０１を含む。ＭＳＣ３０１を、サービス側ＭＳＣ（Ｓ−ＭＳＣ：ｓｅｒｖｉｎｇ−ＭＳＣ）と称する。通信ネットワーク３００はまた、被呼者３２２のモバイル・デバイス３２０にサービスするＭＳＣ３０３を含む。ＭＳＣ３０３を、発信側ＭＳＣ（Ｏ−ＭＳＣ：ｏｒｉｇｉｎａｔｉｎｇ  ＭＳＣ）と称する。Ｓ−ＭＳＣ３０１およびＯ−ＭＳＣ３０３はそれぞれ、本明細書ではＰＳＴＮ３０２と称される回線交換基幹ネットワークに接続される。また、Ｓ−ＭＳＣ３０１およびＯ−ＭＳＣ３０３はそれぞれ、本明細書ではＳＳ７ネットワーク３０６と称される信号ネットワークにも接続される。これらの基幹ネットワークおよび信号ネットワーク（コア・ネットワーク）は、他の実施形態では、ＩＭＳネットワークなどのパケット・ネットワークを含み得る。また通信ネットワーク３００は、発呼者３１２または被呼者３２２のユーザ・プロファイルを格納するＨＬＲ３０８を含む。通信ネットワーク３００は、Ｓ−ＭＳＣ３０１とモバイル・デバイス３１０の間の基地局、およびＯ−ＭＳＣ３０３とモバイル・デバイス３２０の間の基地局など、図３に示されていない他のネットワーク、システムまたはデバイスを含み得る。
【００３４】
また通信ネットワーク３００は、広告システム３６０も含む。広告システム３６０は、トーン・サーバ３６２および選択サーバ３６４を含む。トーン・サーバ３６２には、広告システム３６０のネットワーク動作を処理するいかなるシステムまたはサーバも含まれる。選択サーバ３６４には、発呼者３１２に対して再生すべき広告を選択するいかなるシステムまたはサーバも含まれる。
【００３５】
以下の説明では、発呼者３１２が、通信ネットワーク３００を動作させているサービス・プロバイダが提供する広告サービスに加入していると仮定する。この広告サービスとは、呼のリングバックを与える前に発呼者に広告を提供するサービスである。
【００３６】
図４は、本発明の例示的な一実施形態における発呼者を登録するための通信ネットワーク３００の例示的な動作を示すメッセージ図である。最初に、発呼者３１２のモバイル・デバイス３１０が、Ｓ−ＭＳＣ３０１の範囲内でオンされるまたはこの範囲内に移動するものと仮定する。モバイル・デバイス３１０は、Ｓ−ＭＳＣ３０１に登録メッセージを送信する。Ｓ−ＭＳＣ３０１は、この登録メッセージの受信に応答して、（本実施形態では発呼者３１２についてのＨＬＲである）ＨＬＲ３０８に、発呼者３１２のプロファイル情報を要求するＡＮＳＩ−４１登録通知（ＲＥＧＮＯＴ：Ｒｅｇｉｓｔｒａｔｉｏｎ  Ｎｏｔｉｆｉｃａｔｉｏｎ）メッセージを送信する。このＲＥＧＮＯＴメッセージは、モバイル・デバイス３１０の位置、ＴＲＡＮＳＣＡＰパラメータ、およびＷＩＮＣＡＰパラメータを含み得る。ＴＲＡＮＳＣＡＰパラメータは、Ｓ−ＭＳＣ３０１がＴＲＩＧＡＤＤＲＬＩＳＴパラメータを処理できることを示すように設定される。ＷＩＮＣＡＰパラメータは、Ｓ−ＭＳＣ３０１のＷＩＮ機能を示すように設定される。
【００３７】
ＨＬＲ３０８は、このＲＥＧＮＯＴメッセージの受信に応答して、応答メッセージをＳ−ＭＳＣ３０１にｒｅｇｎｏｔメッセージの形で送信する。このｒｅｇｎｏｔメッセージは、ＴＲＩＧＡＤＤＲＬＩＳＴパラメータを含み、このＴＲＩＧＡＤＤＲＬＩＳＴパラメータは、ＷＩＮトリガのうちのどれがアクティブであるかを示すように設定される。たとえば、ＴＲＩＧＡＤＤＲＬＩＳＴパラメータは、Ａｌｌ＿Ｃａｌｌｓトリガがアクティブであることを示すことができる。またＴＲＩＧＡＤＤＲＬＩＳＴパラメータは、トリガ・イベントに応答して交信されなければならないネットワーク・エンティティへのルーティングを指定もする。本実施形態では、交信されなければならないネットワーク・エンティティはトーン・サーバ３６２であるので、ＴＲＩＧＡＤＤＲＬＩＳＴパラメータは、トーン・サーバ３６２のネットワーク識別子またはネットワーク・アドレスを含む。その後、モバイル・デバイス３１０には、サービス・プロバイダが提供している広告サービスが登録される。
【００３８】
図５は、本発明の例示的な一実施形態における発呼者３１２に広告を提供するための通信ネットワーク３００の例示的な動作を示すメッセージ図である。本実施形態では、発呼者にサービスしているネットワーク・ノードが、広告サービスのトリガである。発呼者にサービスしているネットワーク・ノードがトリガであるときは、発呼者が発呼するたびに、（広告がスキップされない限り）この発呼者は広告を聞く。
【００３９】
動作中において、発呼者３１２は、モバイル・デバイス３１０を介して発呼する。Ｓ−ＭＳＣ３０１は、呼出し先のダイヤル番号を受信し、呼の処理を開始する。呼の処理中、Ｓ−ＭＳＣ３０１が、アクティブなトリガ（たとえばＡｌｌ＿Ｃａｌｌｓトリガ）に遭遇した場合、Ｓ−ＭＳＣ３０１は、発信要求（ＯＲＲＥＱ：ｏｒｉｇｉｎａｔｉｏｎ  ｒｅｑｕｅｓｔ）メッセージをトーン・サーバ３６２に送信する。このＯＲＲＥＱメッセージは、発呼者ディレクトリ番号（ＭＤＮ：ｃａｌｌｉｎｇ  ｐａｒｔｙ  ｄｉｒｅｃｔｏｒｙ  ｎｕｍｂｅｒ）、呼出し先のダイヤル番号（ＤＧＴＳＤＩＡＬ：ｄｉａｌｅｄ  ｄｉｇｉｔｓ）、Ｓ−ＭＳＣ３０１のＭＳＣＩＤ、およびトリガ・タイプおよびＷＩＮ機能などの呼関連のパラメータを含む。また、Ｓ−ＭＳＣ３０１は、アクティブなトリガに遭遇したことに応答して、呼に関する呼処理を一時停止し、この呼処理をさらに続行するためのトーン・サーバ３６２からのｏｒｒｅｑ応答メッセージを待つ。
【００４０】
トーン・サーバ３６２は、Ｓ−ＭＳＣ３０１からＯＲＲＥＱメッセージを受信し、ＯＲＲＥＱメッセージで受信したパラメータを用いて広告サービスを起動する。発呼者３１２は、広告サービスについてトーン・サーバ３６２内で準備ができているので、トーン・サーバ３６２は、要求メッセージを選択サーバ３６４に送信し、呼に対して再生すべき広告の詳細（があればそれ）を要求する。トーン・サーバ３６２は、選択サーバ３６４への要求メッセージ内に、発呼者ディレクトリ番号、ＭＳＣＩＤ、被呼者ディレクトリ番号、および他の入手可能な情報を含める。
【００４１】
選択サーバ３６４は、この選択サーバ３６４のロジックを発呼者３１２のユーザ・プロファイルに適用して、呼に対して広告を再生すべきかどうかを判定する。広告を再生すべきであると判定された場合、選択サーバ３６４は、再生すべき広告の選択もする。選択サーバ３６４は、異なる判定基準に基づいて広告を選択することができ、この異なる判定基準のいくつかは、前述の実施形態で説明した。再生する広告を選択した後、選択サーバ３６４は、トーン・サーバ３６２に応答メッセージを送信する。この応答メッセージは、選択された広告の識別子を含む。
【００４２】
トーン・サーバ３６２は、この広告の識別子の受信に応答して、接続リソース（ＣＯＮＮＲＥＳ：Ｃｏｎｎｅｃｔ  Ｒｅｓｏｕｒｃｅ）メッセージをＳ−ＭＳＣ３０１に送信する。このＣＯＮＮＲＥＳメッセージのＴＬＤＮパラメータは、トーン・サーバ３６２のディレクトリ番号を含む。Ｓ−ＭＳＣ３０１は、このＣＯＮＮＲＥＳメッセージの受信に応答して、ＣＯＮＮＲＥＳメッセージのＴＬＤＮパラメータにおいて示されたディレクトリ番号への（一時的）コール・レッグを確立するために、ＩＳＵＰ初期アドレス・メッセージ（ＩＡＭ：Ｉｎｉｔｉａｌ  Ａｄｄｒｅｓｓ  Ｍｅｓｓａｇｅ）をトーン・サーバ３６２に送信する。このようにしてＳ−ＭＳＣ３０１は、該ディレクトリ番号に基づいてトーン・サーバ３６２への一時的コール・レッグを確立する。
【００４３】
コール・レッグが確立されると、トーン・サーバ３６２は、セット・アップされたベアラ・チャネルを介して、モバイル・デバイス３１０に対して、選択された広告を再生または配信する。トーン・サーバ３６２はまた、発呼者３１２からの任意の入力についてベアラ・チャネルを監視し、適切な措置を取る。かかる１つの措置は、広告をスキップすることであり得る。他の措置は、広告に関する追加情報を要求することであり得る。
【００４４】
広告の終了時に、トーン・サーバ３６２は、Ｎｕｌｌパラメータを有するｏｒｒｅｑメッセージをＳ−ＭＳＣ３０１に送信する。Ｓ−ＭＳＣ３０１は、このｏｒｒｅｑメッセージに応答して、（一時的）コール・レッグを破棄するために、解放（ＲＥＬ：Ｒｅｌｅａｓｅ）メッセージをトーン・サーバ３６２に送信する。トーン・サーバ３６２は、ＩＳＵＰ解放完了（ＲＬＣ：Ｒｅｌｅａｓｅ  Ｃｏｍｐｌｅｔｅ）メッセージで応答する。次いでＳ−ＭＳＣ３０１は、呼のＩＡＭをＯ−ＭＳＣ３０３に送信することにより、被呼者３２２への呼の処理を再開する。Ｏ−ＭＳＣ３０３は、このＩＡＭに応答して、呼をモバイル・デバイス３２０に接続しようと試みる。Ｏ−ＭＳＣ３０３はまた、Ｓ−ＭＳＣ３０１を介してモバイル・デバイス３１０にリングバック・トーンを送信する。このリングバック・トーンは、従来の呼出し音、マルチメディア・リングバック・トーン、他の広告、または他のどんなタイプのリングバックであってもよい。
【００４５】
図６は、本発明の例示的な一実施形態における発呼者３１２に広告を提供するための通信ネットワーク３００の他の例示的な動作を示すメッセージ図である。図５と同様に、図６のＳ−ＭＳＣ３０１は、呼出し先のダイヤル番号を受信し、発呼者３１２のモバイル・デバイス３１０からの呼の処理を開始する。呼の処理中、Ｓ−ＭＳＣ３０１が、アクティブなトリガに遭遇した場合、Ｓ−ＭＳＣ３０１は、ＯＲＲＥＱメッセージをトーン・サーバ３６２に送信する。Ｓ−ＭＳＣ３０１は、このアクティブなトリガに遭遇したことに応答して、呼に関する呼処理を一時停止し、この呼処理をさらに続行するためのトーン・サーバ３６２からのｏｒｒｅｑ応答を待つ。またＳ−ＭＳＣ３０１は、呼処理の中断に応答して、サービス交換機能タイマ（ＳＳＦＴ：Ｓｅｒｖｉｃｅ  Ｓｗｉｔｃｈｉｎｇ  Ｆｕｎｃｔｉｏｎ  Ｔｉｍｅｒ）を設定する。このＳＳＦＴは、呼処理が中断される期間に制限があることを保証し、一般に割込みタイマと呼ばれる場合がある。
【００４６】
次いで、図６は、トーン・サーバ３６２がモバイル・デバイス３１０に対して広告を再生するまで、図５と同様に進む。広告を再生することに加えて、トーン・サーバ３６２は、ＳＳＦＴがＳ−ＭＳＣ３０１において満了する前に満了するようなリセット・タイマ（ＲＥＳＴ：Ｒｅｓｅｔ  Ｔｉｍｅｒ）を始動する。広告は５秒、１０秒、１５秒などの間再生する場合があるので、広告はＳＳＦＴよりも長い時間再生し得る。したがって、トーン・サーバ３６２のＲＥＳＴが満了する場合、トーン・サーバ３６２は、ＲｅｓｅｔＴｉｍｅｒメッセージ（ＲＥＳＴＴＩＭＥＲ）をＳ−ＭＳＣ３０１に送信する。Ｓ−ＭＳＣ３０１は、このＲｅｓｅｔＴｉｍｅｒメッセージの受信に応答して、ＳＳＦＴを再初期化する。次いでトーン・サーバ３６２は、ＲＥＳＴをあらためて設定し、ＲＥＳＴが満了する場合にＲｅｓｅｔＴｉｍｅｒメッセージをＳ−ＭＳＣ３０１に送信することを続ける。広告終了の後のフローは、図５で述べた説明に準ずる。
【００４７】
図７は、本発明の例示的な一実施形態における広告をスキップするための通信ネットワーク３００の例示的な動作を示すメッセージ図である。発呼者３１２は、モバイル・デバイス３１０を介して発呼する。Ｓ−ＭＳＣ３０１は、呼出し先のダイヤル番号を受信し、呼の処理を開始する。呼の処理中、Ｓ−ＭＳＣ３０１が、アクティブなトリガ（たとえばＡｌｌ＿Ｃａｌｌｓトリガ）に遭遇した場合、Ｓ−ＭＳＣ３０１は、ＯＲＲＥＱメッセージをトーン・サーバ３６２に送信する。また、Ｓ−ＭＳＣ３０１は、このアクティブなトリガに遭遇したことに応答して、呼に関する呼処理を一時停止し、この呼処理をさらに続行するためのトーン・サーバ３６２からのｏｒｒｅｑ応答を待つ。
【００４８】
トーン・サーバ３６２は、Ｓ−ＭＳＣ３０１からＯＲＲＥＱメッセージを受信し、ＯＲＲＥＱメッセージで受信したパラメータを用いて広告サービスを起動する。発呼者３１２は、広告サービスについてトーン・サーバ３６２内で準備ができているので、トーン・サーバ３６２は、要求メッセージを選択サーバ３６４に送信し、呼に対して再生すべき広告の詳細（があればそれ）を要求する。選択サーバ３６４は、発呼者３１２に対して広告がスキップされるダイヤル番号のリストを保持してもよい。たとえば、発呼者３１２は、自宅への呼に対する広告、子供の携帯電話への呼に対する広告などを受信したくない可能性がある。選択サーバ３６４は、さらにまたは代わりとして、呼に対して広告を再生すべきかどうか判定するための他の判定基準を処理することができる。本実施形態では、選択サーバ３６４は、この呼に対して広告を再生すべきでないと判定し、したがって広告を再生しないことを示す応答メッセージをトーン・サーバ３６２に送信する。
【００４９】
トーン・サーバ３６２は、この応答メッセージの受信に応答して、Ｎｕｌｌパラメータを有するｏｒｒｅｑメッセージをＳ−ＭＳＣ３０１に送信する。Ｓ−ＭＳＣ３０１は、このｏｒｒｅｑメッセージに応答して、呼のＩＡＭをＯ−ＭＳＣ３０３に送信することにより、被呼者３２２への呼の処理を再開する。Ｏ−ＭＳＣ３０３は、このＩＡＭに応答して、呼をモバイル・デバイス３２０に接続しようと試みる。Ｏ−ＭＳＣ３０３はまた、Ｓ−ＭＳＣ３０１を介してモバイル・デバイス３１０にリングバック・トーンを送信する。ＴＣＰ／ＩＰなどの適切なプロトコルを用いる任意の要求／応答メッセージング方式を、図５〜７のトーン・サーバ３６２と選択サーバ３６４の間の通信に使用することができる。
【００５０】
図４〜７では、Ｓ−ＭＳＣ３０１が、広告サービスをトリガするネットワーク・ノードである。やはりＯ−ＭＳＣ３０３も、さらにまたは代わりとして、広告サービスをトリガするネットワーク・ノードであってもよく、これを図８に示している。被呼者がサービスに加入しているときは、被呼者にサービスしているネットワーク・ノードが、トリガである。この場合、特定の被呼者に発呼するときに、発呼者が広告を聞く。たとえば、発呼者が百貨店に発呼する場合、発呼者はリングバック・トーンの前に広告を聞く。
【００５１】
図８は、本発明の例示的な一実施形態における発呼者３１２に広告を提供するための通信ネットワーク３００の例示的な動作を示すメッセージ図である。発呼者３１２は、モバイル・デバイス３１０を介して発呼する。Ｓ−ＭＳＣ３０１は、呼出し先のダイヤル番号を受信し、呼の処理を開始する。呼の処理中、Ｓ−ＭＳＣ３０１は、呼をＯ−ＭＳＣ３０３にルーティングし、このＯ−ＭＳＣ３０３も同様に呼の中止処理を開始する。Ｏ−ＭＳＣ３０３は、（本実施形態では被呼者についてのＨＬＲである）ＨＬＲ３０８に、位置要求（ＬＯＣＲＥＱ：ｌｏｃａｔｉｏｎ  ｒｅｑｕｅｓｔ）メッセージを送信する。このＬＯＣＲＥＱメッセージは、呼出し先のダイヤル番号（ＤＧＴＳＤＩＡＬ）、トリガ・タイプおよびＷＩＮ機能などの呼関連のパラメータを含む。ＨＬＲ３０８は、加入者が、被呼者３２２のユーザ・プロファイルを処理することによりすべての終了がＳＣＰに対してトリガされることを所望していると判定し、連携すべきＳＣＰのリストおよびこのＳＣＰに関連するアドレスを含んでいるトリガ・アドレス・リストを含む位置要求応答（ｌｏｃｒｅｑ）メッセージでＯ−ＭＳＣ３０３に応答する。
【００５２】
呼のさらなる処理中に、Ｏ−ＭＳＣ３０３がアクティブなトリガ（たとえばアドバンスト終了トリガ）に遭遇すると、Ｏ−ＭＳＣ３０３は、分析情報（ＡＮＬＹＺＤ：Ａｎａｌｙｚｅｄ  Ｉｎｆｏｒｍａｔｉｏｎ）メッセージをトーン・サーバ３６２に送信する。また、Ｏ−ＭＳＣ３０３は、このアクティブなトリガに遭遇したことに応答して、呼に関する呼処理を一時停止し、この呼処理をさらに続行するためのトーン・サーバ３６２からの分析情報応答（ａｎｌｙｚｄ）メッセージを待つ。
【００５３】
トーン・サーバ３６２は、Ｏ−ＭＳＣ３０３からＡＮＬＹＺＤメッセージを受信し、ＡＮＬＹＺＤメッセージで受信したパラメータを用いて広告サービスを起動する。発呼者３１２は、広告サービスについてトーン・サーバ３６２内で準備ができているので、トーン・サーバ３６２は、要求メッセージを選択サーバ３６４に送信し、呼に対して再生すべき広告の詳細（があればそれ）を要求する。トーン・サーバ３６２は、選択サーバ３６４への要求メッセージ内に、発呼者ディレクトリ番号、ＭＳＣＩＤ、被呼者ディレクトリ番号、および他の入手可能な情報を含む。
【００５４】
選択サーバ３６４は、この選択サーバ３６４のロジックを発呼者３１２のユーザ・プロファイルに適用して、呼に対して広告を再生すべきかどうかを判定する。広告を再生すべきであると判定された場合、選択サーバ３６４は、再生すべき広告を選択もする。選択サーバ３６４は、異なる判定基準に基づいて広告を選択することができ、この異なる判定基準のいくつかは、前述の実施形態で説明した。再生する広告を選択した後、選択サーバ３６４は、トーン・サーバ３６２に応答メッセージを送信する。この応答メッセージは、選択された広告の識別子を含む。
【００５５】
トーン・サーバ３６２は、この広告の識別子の受信に応答して、接続リソース（ＣＯＮＮＲＥＳ）メッセージをＯ−ＭＳＣ３０３に送信する。このＣＯＮＮＲＥＳメッセージのＴＬＤＮパラメータは、トーン・サーバ３６２のディレクトリ番号を含む。Ｏ−ＭＳＣ３０３は、このＣＯＮＮＲＥＳメッセージの受信に応答して、ＣＯＮＮＲＥＳメッセージのＴＬＤＮパラメータにおいて示されたディレクトリ番号への（一時的）コール・レッグを確立するために、ＩＡＭをトーン・サーバ３６２に送信する。このようにしてＯ−ＭＳＣ３０３は、該ディレクトリ番号に基づいてトーン・サーバ３６２への一時的コール・レッグを確立する。
【００５６】
コール・レッグが確立されると、トーン・サーバ３６２は、セット・アップされたベアラ・チャネルを介して、Ｏ−ＭＳＣ３０３に対して、選択された広告を再生する。次いでＯ−ＭＳＣ３０３は、Ｓ−ＭＳＣ３０１に対して、選択された広告を再生し、このＳ−ＭＳＣ３０１は、発呼者３１２に広告を提供する。
【００５７】
広告の終了時に、トーン・サーバ３６２は、Ｎｕｌｌパラメータを有するａｎｌｙｚｄメッセージをＯ−ＭＳＣ３０３に送信する。Ｏ−ＭＳＣ３０３は、このａｎｌｙｚｄメッセージに応答して、（一時的）コール・レッグを破棄するために、解放（ＲＥＬ）メッセージをトーン・サーバ３６２に送信する。トーン・サーバ３６２は、ＩＳＵＰ解放完了（ＲＬＣ）メッセージで応答する。次いでＯ−ＭＳＣ３０３は、呼をモバイル・デバイス３２０に接続しようと試みることにより、被呼者３２２への呼の処理を再開する。Ｏ−ＭＳＣ３０３はまた、Ｓ−ＭＳＣ３０１を介してモバイル・デバイス３１０にリングバック・トーンを送信する。このリングバック・トーンは、従来の呼出し音、マルチメディア・リングバック・トーン、他の広告、または他のどんなタイプのリングバックであってもよい。
【００５８】
本明細書には含まれていないが、図７に類似する図であって、図８の選択サーバ３６４がどのように特定の呼に対する広告をスキップできるかを示す図を作成することが可能である。
【００５９】
本明細書では、特定の実施形態を説明したが、本発明の範囲は、これらの特定の実施形態に限定されない。本発明の範囲は、以下の特許請求の範囲およびその均等物によって定義されるものである。
【図１】
2010510752.tif 000003
【図２】
2010510752.tif 000004
【図３】
2010510752.tif 000005
【図４】
2010510752.tif 000006
【図５】
2010510752.tif 000007
【図６】
2010510752.tif 000008
【図７】
2010510752.tif 000009
【図８】
2010510752.tif 000010
【国際調査報告】
2010510752.tif 000011
2010510752.tif 000012